(57)【要約】【課題】  販売店等の特定の場所に出向く必要を排し、発注者自身で容易に又的確にオーダーメード手袋の発注を行い得る発注方法及びこの発注方法を実現するための受注者コンピュータを提供する。【解決手段】  発注者Ｐは掌に円形硬貨７を載せて広げた状態の手Ｈをカメラ付き携帯電話１により撮影し、撮影した手画像の撮像データを回線網４を介して受注者コンピュータ５送信する。受注者コンピュータでは、手画像に撮し込まれた円形硬貨の歪み具合に基づきこれを真円になるように所定方向に伸長させることにより傾き補正して正対手画像に変換し、正対手画像上の円形硬貨と所定位置間の寸法との比率に円形硬貨の既知の直径を乗じることにより、手袋製作に必要な所定部位の基準寸法値を取得する。【選択図】      図１
2005023498.tif 000002
【特許請求の範囲】
【請求項１】
発注者の側では、撮像装置により、手袋発注対象の手を、その掌よりも小さくかつ既知の直径を有する円形の形状基準物を上記掌に載せて広げた状態で撮像した後、撮像した手画像についての撮像データを通信装置により受注者の受信装置に送信する一方、
上記受注者の側では、上記受信装置により受信した手画像をこの手画像に撮し込まれた上記形状基準物の歪み形状に基づいて傾き補正することにより正対手画像に変換し、変換により得られる正対手画像から手袋製作上必要となる基準寸法値を上記形状基準物の既知の直径に基づいて割り出すようにする、
オーダーメード手袋発注方法。
【請求項２】
発注者の側では、撮像装置により、手袋発注対象の手を、その掌よりも小さくかつ既知の直径を有する円形の形状基準物を上記掌に載せて広げた状態で撮像した後、撮像した手画像についての撮像データを通信装置により受注者の受注者コンピュータに送信する一方、
上記受注者コンピュータに、受信した手画像をこの手画像に撮し込まれた上記形状基準物の歪み形状に基づいて傾き補正することにより正対手画像に変換する変換処理と、この変換処理により得られる正対手画像から手袋製作上必要となる基準寸法値を上記形状基準物の既知の直径に基づいて割り出す割り出し処理とを含む各処理を実行させるようにする、
オーダーメード手袋発注方法。
【請求項３】
請求項１又は請求項２に記載のオーダーメード手袋発注方法であって、
上記撮像装置及び通信装置として、撮像機能及び撮像データの送信機能を備えたカメラ付き携帯電話装置を用いる、オーダーメード手袋発注方法。
【請求項４】
請求項１又は請求項２に記載のオーダーメード手袋発注方法であって、
形状基準物は円形硬貨である、オーダーメード手袋発注方法。
【請求項５】
カメラ付き携帯電話装置から、掌よりも小さくかつ既知の直径を有する円形の形状基準物を上記掌に載せて広げた状態で手袋発注対象の手が撮像された手画像についての撮像データを受信する送受信部と、
受信される撮像データに基づき上記手画像に撮し込まれた形状基準物の歪み度合に応じて傾き補正することにより上記手画像を正対手画像に変換する画像変換処理部と、
変換された正対手画像における形状基準物との対比により手袋製作上必要となる基準寸法値を上記形状基準物の既知の直径に基づき割り出して取得する基準寸法取得処理部と
を備えている受注者コンピュータ。
【請求項６】
請求項５に記載の受注者コンピュータであって、
上記画像変換処理部は、
上記手画像を表示した表示画面上に対しその手画像の手首部中央と中指先端とを結ぶ方向に延びるようＹ軸を設定すると共に、このＹ軸に直交する方向に延びるようＸ軸を設定する軸設定処理と、
上記Ｙ軸及びＸ軸の各方向に対する上記形状基準物の径寸法を比較することにより上記Ｙ軸の回り又はＸ軸の回りに対する上記手画像の傾きを割り出す傾き割り出し処理と、
この傾き処理により割り出された傾きを補正することにより上記手画像を正対手画像に変換する補正処理と
を実行するように構成されている、受注者コンピュータ。
【発明の詳細な説明】
【技術分野】
【０００１】
本発明は、オーダーメード手袋の発注及び製作を行うためのオーダーメード手袋発注方法及びオーダーメード手袋製作システムに関する。
【背景技術】
【０００２】
従来、ユーザに対する手袋の提供は、予め標準パターン形状を用い例えばＳサイズ、Ｍサイズ、ＬサイズもしくはＬＬサイズというようにサイズのみが異なるレディーメード品が製作され、これが市場に提供され、これらから自己のサイズに合致するものを購入するという手法が一般に採用されている。一方、例えばゴルフ用等のスポーツ用手袋もしくは特殊作業用手袋等の分野においては、ユーザ自身の手に合致するよう個別製作されるオーダーメード品も提供されている。このようなオーダーメード品は、通常、ユーザ自身の手より手袋製作に必要となる基準寸法を実際に採寸し、採寸された基準寸法に基づき製作される。
【０００３】
また、上記のレディーメード品とオーダーメード品との中間的な提供方法として、規格品のゴルフ用手袋をユーザに先ず着用させ、この規格品に対する修正データを通信網を介して送信するか配送部門を介して伝達し、送信もしくは伝達された修正データに基づいて合致する規格品が他にあるかを検索し、なければ上記修正データに基づいて新たに手袋を製作して供給するという方法も提案されている（例えば特許文献１参照）。
【０００４】
【特許文献１】特開２００１−２７８４１３号公報
【発明の開示】
【発明が解決しようとする課題】
【０００５】
ところが、ユーザがオーダーメード品の手袋を発注するには、ユーザ自身の手を採寸する必要があるため、手袋の販売店等に出向く必要がある。つまり、採寸のために販売店等に出向かなければ、オーダーメード品の発注をすることができないという不便さがある。しかも、採寸位置は製作者側から指定されてはいても、採寸者の熟練度合等にばらつきが有り、採寸の的確性も期しがたい面もある。また、上記提案の方法においても、ユーザ自身が販売店等に出向いた上で、試着したり主観に基づく修正希望を出したりというように煩雑であるばかりでなく的確性の点も担保し得ないという不都合がある。
【０００６】
本発明は、このような事情に鑑みてなされたものであり、その目的とするところは、販売店等の特定の場所に出向く必要を排し、発注者自身により容易に又的確にオーダーメード手袋の発注を行い得るオーダーメード手袋発注方法及びこのようなオーダーメード手袋発注方法を実現するための受注者コンピュータを提供することにある。
【課題を解決するための手段】
【０００７】
上記目的を達成するために、オーダーメード手袋発注方法に係る第１の発明では、発注者の側において、撮像装置により、手袋発注対象の手を、その掌よりも小さくかつ既知の直径を有する円形の形状基準物を上記掌に載せて広げた状態で撮像した後、撮像した手画像についての撮像データを通信装置により受注者の受信装置に送信する一方、上記受注者の側において、上記受信装置により受信した手画像をこの手画像に撮し込まれた上記形状基準物の歪み形状に基づいて傾き補正することにより正対手画像に変換し、変換により得られる正対手画像から手袋製作上必要となる基準寸法値を上記形状基準物の既知の直径に基づいて割り出すようにすることとした（請求項１）。
【０００８】
この第１の発明の場合、オーダーメード手袋の発注のために発注者が販売店等の特定の場所に出向く必要や、発注のために煩雑な採寸作業を伴う基準寸法値の取得の必要を共に排して、発注者だけでしかも極めて容易な作業によりオーダーメード手袋の発注を行うことが可能となる。すなわち、発注者は上記形状基準物を載せた状態で自己の手を撮像装置により撮像し、撮像した手画像の撮像データを通信装置により受注者の受信装置に対し送信するだけの作業でオーダーメード手袋の発注が完了する。一方、受注者側では受信した手画像から基準寸法値を割り出すためにその手画像の傾きを補正して正対手画像に変換すれば、その正対手画像上の形状基準物との対比によりその形状基準物の既知の直径から基準寸法値が正確に割り出すことが可能になる。
【０００９】
なお、上記の手画像の傾き補正は、発注者が撮像装置を用いて手袋発注対象の手を撮像する際に、本来は撮像装置に手を正対させて撮像しようとするものの、いずれかが傾いて撮像装置の光軸に直交しない状態で撮像されてしまうことを想定し、この傾きを補正しようとするものである。この傾き補正を行うことで、より正確な基準寸法値の割り出しが可能となる。また、上記の「受注者」とはオーダーメード手袋の製作者のみならず、その代理店、取次店あるいは販売店等であってもよい。これらの点は以下の各発明において同じである。更に、この第１の発明では、受注者側の作業として受信した撮像データを印刷し、印刷した手画像上の寸法比率に基づいて仮想の正対手画像に変換した上で、基準寸法値の割出を行うようにしてもよい。
【００１０】
オーダーメード手袋発注方法に係る第２の発明は、上記の受注者側の作業を受注者コンピュータにより自動処理させるようにしたものである。すなわち、第２の発明では、発注者の側において、撮像装置により、手袋発注対象の手を、その掌よりも小さくかつ既知の直径を有する円形の形状基準物を上記掌に載せて広げた状態で撮像した後、撮像した手画像についての撮像データを通信装置により受注者の受信装置に送信する一方、上記受注者コンピュータに、受信した手画像をこの手画像に撮し込まれた上記形状基準物の歪み形状に基づいて傾き補正することにより正対手画像に変換する変換処理と、この変換処理により得られる正対手画像から手袋製作上必要となる基準寸法値を上記形状基準物の既知の直径に基づいて割り出す割り出し処理とを含む各処理を実行させるようにすることとした（請求項２）。
【００１１】
この第２の発明の場合、第１の発明と同様にオーダーメード手袋の発注のために発注者が販売店等の特定の場所に出向く必要や、発注のために煩雑な採寸作業を伴う基準寸法値の取得の必要を共に排して、発注者だけでしかも極めて容易な作業によりオーダーメード手袋の発注を行うことが可能となる他、受注者側での基準寸法値の割り出しが受注者コンピュータにより自動処理により実行されることになる。すなわち、発注者は、第１の発明と同様に、上記形状基準物を載せた状態で自己の手を撮像装置により撮像し、撮像した手画像の撮像データを通信装置により受注者コンピュータに対し送信するだけの作業でオーダーメード手袋の発注が完了する。一方、受注者側では受注者コンピュータの変換処理により手画像の傾きが補正されて正対手画像に変換され、割り出し処理により基準寸法値が上記正対手画像上の形状基準物との対比によりその形状基準物の既知の直径から割り出される。
【００１２】
なお、上記の第１又は第２の発明においては発注者から撮像データに加えて、手袋の種類や素材等の仕様情報も併せて送信するようにすればよい。
【００１３】
以上の第１又は第２の発明における「撮像装置」としては例えばデジタルカメラを、「通信装置」としては例えば発注者側でインターネット等の通信網に接続した発注者コンピュータをそれぞれ用いればよいが、次のようにすることにより、発注のより一層の容易化が図られる。すなわち、上記撮像装置及び通信装置として、撮像機能及び撮像データの送信機能を備えたカメラ付き携帯電話装置を用いるようにする（請求項３）。この場合の「カメラ付き携帯電話装置」、としては携帯電話装置にデジタルカメラを組み合わせたものに加え、いわゆるＰＤＡ（登録商標）等の携帯情報機器にデジタルカメラ機能及び通信機能を追加したようなものも含み、名称の如何を問わないものである。このようなカメラ付き携帯電話装置を用いれば、発注者において任意の場所から及び任意の時間にオーダーメード手袋の発注を行うことが可能となり、オーダーメード手袋の発注手続に要する障害等をほぼ一掃することが可能となる。
【００１４】
また、上記の第１又は第２の発明における「形状基準物」として円形硬貨を用いることにより（請求項４）、発注者において特別な形状基準物を用意する必要もない上に、円形硬貨が真円に形成され、又その直径も一定でかつ既知であることにより優れた形状基準物となる。円形硬貨としては現状では５００円硬貨、１００円硬貨、１０円硬貨、５円硬貨及び１円硬貨等が一般に流通しかつ発注者が通常所持していると考えられる。なお、円形硬貨としては５００円硬貨、１００円硬貨又は１０円硬貨等のできるだけ大径のものを用いることが基準寸法値の割り出しの正確性を期す上で好ましい。
【００１５】
上記第２の発明において用いる受注者コンピュータに係る第３の発明では、カメラ付き携帯電話装置から、掌よりも小さくかつ既知の直径を有する円形の形状基準物を上記掌に載せて広げた状態で手袋発注対象の手が撮像された手画像についての撮像データを受信する送受信部と、受信される撮像データに基づき上記手画像に撮し込まれた形状基準物の歪み度合に応じて傾き補正することにより上記手画像を正対手画像に変換する画像変換処理部と、変換された正対手画像における形状基準物との対比により手袋製作上必要となる基準寸法値を上記形状基準物の既知の直径に基づき割り出して取得する基準寸法取得処理部とを備えることとした（請求項５）。
【００１６】
この第３の発明の場合、発注者から送信された撮像データからオーダーメード手袋を製作する上で必要となる基準寸法値を自動処理により割り出し得る受注者コンピュータを具体的に提供することが可能となり、上記の第２の発明によるオーダーメード発注方法を確実に実施し得ることとなる。すなわち、上記送受信部により発注者から送信された手画像についての撮像データを受信し、上記画像変換処理部により撮像された手画像の傾きが補正されて正対手画像に変換され、上記基準寸法取得処理部により上記正対手画像から基準寸法値が割り出される。
【００１７】
上記の第３の発明における画像変換処理部による処理をさらに具体化すると、例えば、上記手画像を表示した表示画面上に対しその手画像の手首部中央と中指先端とを結ぶ方向に延びるようＹ軸を設定すると共に、このＹ軸に直交する方向に延びるようＸ軸を設定する軸設定処理と、上記Ｙ軸及びＸ軸の各方向に対する上記形状基準物の径寸法を比較することにより上記Ｙ軸の回り又はＸ軸の回りに対する上記手画像の傾きを割り出す傾き割り出し処理と、この傾き処理により割り出された傾きを補正することにより上記手画像を正対手画像に変換して上記表示画面上に表示する補正処理とを実行するようにすればよい（請求項６）。これにより、手画像が撮像装置の光軸に直交せずに、つまり撮像装置に対し手が正対していない状態で撮像されたものであっても、その手画像が正確にかつ確実に正対手画像に変換されることになる。以後、基準寸法取得処理部では、例えば表示画面上の正対手画像の所定の２点間と、形状基準物の直径との両者の表示画面上での等価寸法比率に対し、上記形状基準物の既知の実際の直径値を乗じることにより上記２点間の寸法（基準寸法値）を割り出し、この処理を必要とする基準寸法値毎に実行させるようにすればよい。
【発明の効果】
【００１８】
以上、説明したように、請求項１〜請求項４いずれかのオーダーメード手袋発注方法によれば、オーダーメード手袋の発注のために発注者が販売店等の特定の場所に出向く必要や、発注のために煩雑な採寸作業を伴う基準寸法値の取得の必要を共に排して、発注者自身により容易にしかも的確にオーダーメード手袋の発注を行うことができる。しかも、発注者から送信された手画像から手袋発注に必要な基準寸法値を確実に割り出すことができ、割り出された基準寸法値に基づいて以後の手袋製作を的確に行うことができるようになる。すなわち、発注者側では形状基準物を載せた状態で手袋発注対象の手を撮像し撮像した手画像を受注者側に送信するだけでよく、受注者側では発注者の撮像の際の傾きを補正して正対手画像に変換した上で、その正対手画像から手袋製作に必要な基準寸法値を確実に得ることができる。
【００１９】
特に請求項２によれば、発注者から送信された手画像から基準寸法値の割出を受注者コンピュータの自動処理により容易に行うことができる。また、請求項３によれば、撮像装置による撮像と、通信装置による撮像データの送信とをカメラ付き携帯電話装置により行うようにしているため、発注者において任意の場所から及び任意の時間にオーダーメード手袋の発注を行うことができるようになる。さらに、請求項４によれば、形状基準物として円形硬貨を用いるようにしているため、発注者において発注のための特別な形状基準物を用意する必要をも排することができる上に、受注者側での正対手画像への変換や基準寸法値の割出をより確実性をもって行うことができるようになる。
【００２０】
一方、請求項５又は請求項６の受注者コンピュータによれば、発注者から送信された撮像データからオーダーメード手袋を製作する上で必要となる基準寸法値の割り出しまでの処理を自動処理により行うための受注者コンピュータを提供することができ、上記の請求項２によるオーダーメード発注方法を確実に実施することができることとなる。また、請求項６によれば、受注者コンピュータの画像変換処理部による処理をさらに具体化することができ、正対手画像への変換をより具体的かつ確実に行うことができるようになる。
【発明を実施するための最良の形態】
【００２１】
以下、本発明の実施形態を図面に基づいて説明する。
【００２２】
図１は、本発明の第１実施形態に係るオーダーメード手袋発注方法を実施するシステムを示す。同図において、１は撮像装置及び通信装置を兼ねるカメラ付き携帯電話装置、２は基地局、３は電話センター、４は有線又は無線の回線網、５は受注者コンピュータである。
【００２３】
上記カメラ付き携帯電話装置１はオーダーメード手袋を発注する発注者（顧客）Ｐが所有するものであり、このカメラ付き携帯電話装置１はいずれの場所においても最寄りの基地局２と無線通信可能となっている。そして、通話機能を使用する場合には、上記基地局２と相手側の通信端末の最寄りの基地局（図示省略）とが上記回線網４を介して通信され、また、その基地局と上記相手側の通信端末との間で無線通信が行われることにより、上記カメラ付き携帯電話装置１と相手側の通信端末との間で通話が行われることになる。
【００２４】
一方、上記カメラ付き携帯電話装置１は電子メールの送受信機能を備えており、付随するカメラにより撮像された撮像データはこのメール送受信機能を用いて送受信されるようになっている。例えば上記カメラ付き携帯電話装置１からメールが送信されると、上記回線網４に接続された電話センター３を経由してメールサーバ３１に蓄積され、このメールサーバ３１から相手側の通信端末等がメールをダウンロードする、あるいは、メールサーバ３１が上記の相手側の通信端末等へメールを転送することにより、上記のメールが相手側の通信端末等に受信されることになる。なお、逆方向のメール送信も、上記と同様にメールサーバ３１を経由して上記カメラ付き携帯電話装置１に受信されることになる。
【００２５】
以上のカメラ付き携帯電話装置１をさらに詳細に説明すると、図２に示すように、カメラ付き携帯電話装置１は操作部１１、ＬＣＤ等により形成された表示部１２、アンテナを備えた無線による送受信部１３、制御部１４、音声処理回路１５、レシーバ１６、マイク１７、カメラ１８、及び、このカメラ１８を作動させるカメラ駆動回路１９等を備えている。
【００２６】
上記操作部１１は各種の操作キーや操作ボタンにより構成され、例えば電話番号のダイヤル用テンキー、各種情報の入力用又は設定用ボタンや、カメラモードのときにはシャッターボタンにもなる各種の操作ボタンを備えている。上記表示部１２は文字情報や画像情報などの各種情報を表示するものであり、上記カメラ１８により撮像されたカラー画像を表示し得るようになっている。上記送受信部１３は上記基地局２との間で無線による送受信を行うものである。上記制御部１４は図示省略の記憶部（例えばRAMやEEPROM）を備え、上記操作部１１から入力された操作信号や送受信部１３に着信した信号等に基づいて、表示部１２への表示、送受信部１３による通話やメール送受信、カメラ駆動回路１９によるカメラ１８の駆動、又は、上記記憶部からの読み出し・書き込み等の各種の制御を行うようになっている。カメラ１８としてはそのＣＣＤの数が多いほど好ましく、例えば１００万画素以上程度を実現できるのが最も好ましいが、３０万画素程度でもよい。つまり、高解像度を実現できるものが好ましい理由は、後述の受注者コンピュータ５において手画像８から円形硬貨７の画像７′等のエッジ検出による輪郭抽出や形状認識等の画像処理の精度や表示上寸法の計測精度等を確保して、より正確な基準寸法値の取得を可能とするためである。
【００２７】
上記の制御部１４による制御によって、通話使用時には、マイク１７から入力した音声信号が音声処理回路１５により符号化された後に上記送受信部１３から送信される一方、送受信部１３に着信した音声信号は複合化された後に上記レシーバ１６から出力されることになる。又、カメラ使用時には、操作部１１の操作によりカメラモードに切換えるとカメラ１８が所定時間静止された被写体に対し自動合焦機能により焦点合わせし、この状態でシャッターボタンが押されると上記被写体を撮像し、撮像した画像を上記記憶部に記憶すると共に、表示部１２に表示するようになっている。そして、この表示された画像を対象にして送信先の識別情報（メールアドレス）を設定してメール送信操作を行うと、撮像された画像データが画像メールとして送信され、上記の如くメールサーバ３１及び回線網４を経由して上記画像データが送信先に到達することになる。
【００２８】
上記受注者コンピュータ５は、ＣＰＵ、メモリ、ＨＤＤ等を備え、予め格納されたＯＳや各種のプログラムに基づき作動するようになっている。この受注者コンピュータ５は、本実施形態では手袋製作者６に設置されたものであり、上記カメラ付き携帯電話装置１から送信された撮像データを受信し、受信した撮像データに基づいて発注者Ｐから発注された手袋の基準寸法値の割り出しを行うようになっている。
【００２９】
図３には上記受注者コンピュータ５の特に画像変換及び基準寸法取得に係る構成部分についての一構成例を示している。この受注者コンピュータ５はＴＦＴもしくはＣＲＴモニタ等により構成された表示手段５１及びキーボード及びマウス等により構成された入力手段５２を備える他、回線網４を介して送受信を行う送受信部５３と、受信した画像データ等を記憶する記憶部５４と、画像データ取得処理部５５と、この画像データ取得処理部５５により読み込まれた画像を傾き補正して正対画像に変換する画像変換処理部５６と、この画像変換処理部５６により変換された正対画像において入力設定された位置の寸法値を基準寸法値として割り出す基準寸法取得処理部５７と、上記の受信した画像データに基づく画像や上記正対画像等を後述の表示手段５１に表示する表示処理部５８と、出力処理部５９とを備えている。上記の画像データ取得処理部５５、画像変換処理部５６、及び、基準寸法取得処理部５７による各処理又は各機能は予め格納されたプログラムに基づいて実現されるものである。
【００３０】
以下、発注者Ｐ（図１参照）がオーダーメード手袋を発注するために自己の手Ｈの画像（手画像）を上記受注者コンピュータ５に送信し、受信した手画像から上記の基準寸法値を割り出す場合について説明する。
【００３１】
まず、発注者Ｐによる発注（手画像の送信）までの手順は次の通りである。すなわち、発注者Ｐは形状基準物として円形硬貨（例えば５００円硬貨、１０円硬貨もしくは１００円硬貨、望ましくは最大直径の５００円硬貨）７を用い、この円形硬貨を掌（手のひら）に載せ手Ｈを広げて略平面にした状態でその手Ｈをカメラ付き携帯電話装置１のカメラ１８により撮影する。円形硬貨７は流通に伴い若干の摩耗はあるものの一定直径で真円形状を維持しかつその直径も既知であるため形状基準物として最適なものである。上記の撮影の際、手Ｈとカメラ１８とを正対させるように配置し、つまり上記手Ｈにより構成される平面がカメラ１８の光軸１８１に対し直交するようにカメラ１８を配置し、かつ、上記光軸１８１が上記円形硬貨７のほぼ中央を通過するようにカメラ１８を位置付けた上で、シャッターボタンを静かに操作して撮影する。これにより撮像された手画像は、上記の如くカメラ１８と手Ｈとが正対していれば図４に示すように円形硬貨７が真円状態で撮し込まれた正対手画像８ａとなり、例えば手Ｈの手首側が手前に位置し手指側が後方に位置するような傾いた状態で撮影された場合には図５に示すように円形硬貨７が歪んで楕円状態に撮し込まれた傾斜手画像８ｂとなってしまう。なお、発注者Ｐが撮影した手画像については符号８を以後使用する。
【００３２】
そして、発注者Ｐはカメラ付き携帯電話装置１に記憶された上記手画像８の撮像データを画像メールとして受注者コンピュータ５に送信する。このメール送信は受注者コンピュータ５に割り当てられた識別情報（メールアドレス）を指定して送信操作すればよい。
【００３３】
一方、手画像８についての撮像データを送受信部５３（図３参照）により受信して記憶部５４に記憶した受注者コンピュータ５では、次のような処理が実行される。すなわち、図６のフローチャートに示すように、まず、画像データ取得処理部５５により手画像８を受信した撮像データに基づいて表示手段５１に表示し、その手画像８に撮し込まれた円形硬貨（形状基準物）７の画像７′は真円か否かを形状測定により判定する（ステップＳ１）。
【００３４】
この判定は次のようにして行えばよい。例えば、手首９０中央位置と手指の内の中指９３の先端位置とを結ぶ方向に延びるＹ軸と、このＹ軸に直交するＸ軸との直交座標を表示手段５１に表示された手画像８上に設定し（図４又は図５参照）、上記円形硬貨７の画像７′のＹ軸方向径とＸ軸方向径との対比により真円か否かの判定を行う。Ｙ軸方向径とＸ軸方向径とが等しければ円形硬貨７の画像７′は真円であると判定する一方、Ｙ軸方向径とＸ軸方向径Ｄｘとが等しくなければ円形硬貨７の画像７′は真円ではないと判定する。撮影時点で手Ｈとカメラ１８とが正対配置されていれば図７に示すように円形硬貨７の画像７′（同図の実線参照）はＹ軸方向径ＤｙとＸ軸方向径Ｄｘとが等しくなり、逆に撮影時点で手ＨがＸ軸の回りに傾いた状態で撮影されたものであれば円形硬貨７の画像７′（同図の一点鎖線参照）はＹ軸方向径ｄｙ＜Ｘ軸方向径ｄｘとなってＸ軸方向に長い楕円形状となる。又、図７には図示を省略しているが、撮影時点で手ＨがＹ軸の回りに傾いた状態で撮影されたものであれば円形硬貨７の画像７′はＹ軸方向径＞Ｘ軸方向径となってＹ軸方向に長い楕円形状となる。
【００３５】
上記判定において、円形硬貨７の画像７′が真円であると判定されれば、手画像８は正対手画像８ａであると判定して次に基準寸法取得処理部５７による処理（ステップＳ４以降）を行う一方、円形硬貨７の画像７′が真円でないと判定されれば、手画像８は傾斜手画像（例えば８ｂ）であると判定して次に画像変換処理部５６による変換処理を行う。この変換処理は、上記のＹ軸方向径とＸ軸方向径との対比結果に応じて、Ｘ軸回りの傾き補正（ステップＳ２）及び／又はＹ軸回りの傾き補正（ステップＳ３）を行う。
【００３６】
例えば手画像８がＸ軸回りに傾いた傾斜手画像８ｂ（図５参照）である場合にはＸ軸回りの傾き補正（ステップＳ２）を実行し、手画像８がＹ軸回りに傾いた傾斜手画像（図示省略）である場合にはＹ軸回りの傾き補正（ステップＳ３）を実行する。
【００３７】
Ｘ軸回りの傾き補正（ステップＳ２）の場合には、発注者Ｐによる撮影時に手Ｈにより構成される平面Ｈｂ（図８参照）が正対位置（Ｘ軸とＹ軸とで規定される平面位置）からＸ軸回りに傾き角度βだけ傾いていた結果、Ｙ軸方向に縮小された傾斜手画像８ｂとして撮像されたものであるため、これを補正して正対手画像８ａの状態に変換する。その処理としては、図７で測定したｄｙとｄｘとを用いて上記傾斜手画像８ｂをＹ軸方向にｄｘ／ｄｙ倍だけ伸長させてＹ軸方向径ｄｙがｄｘになるようにするか、上記平面Ｈｂと傾斜手画像８ｂとの傾き角度βを次式に基づいて求め、この傾き角度βに基づいて傾き補正するかのいずれかの処理を行えばよい。なお、図８のＺ軸はカメラ１８の光軸１８１と平行の位置関係にある。
【００３８】
β＝Ｃｏｓ−１（ｄｙ／ｄｘ）
Ｙ軸回りの傾き補正（ステップＳ３）の場合には、発注者Ｐによる撮影時に手Ｈにより構成される平面Ｈｃ（図８参照）が上記正対位置からＹ軸回りに傾き角度γだけ傾いていた結果、Ｘ軸方向に縮小された傾斜手画像８ｃとして撮像されたものであるため、これを補正して正対手画像８ａの状態に変換する。その処理としては、上記のＸ軸回りの傾き補正の場合と同様方針にて上記傾斜手画像８ｃをＸ軸方向にＹ軸方向径／Ｘ軸方向径だけ伸長させてＸ軸方向径がＹ軸方向径と同値になるようにするか、上記平面Ｈｃと傾斜手画像８ｃとの傾き角度γを求め、この傾き角度γに基づいて傾き補正するかのいずれかの処理を行えばよい。
【００３９】
以上で発注者Ｐから送信された手画像８がたとえ正対位置で撮影されたものでなかったとしても、それが正対手画像８ａに変換されるため、次にこの正対手画像８ａに基づいて基準寸法取得処理部５７による基準寸法取得処理を行う。
【００４０】
基準寸法値を取得する部位は製作対象の手袋の種類等に応じて変更すればよいが、通常の場合には次の各部位の寸法値とする。親指９１（図４参照）の付け根位置９１１から先端位置９１２までの寸法Ｅ１、人差し指９２の付け根位置９２１から先端位置９２２までの寸法Ｅ２、中指９３の付け根位置９３１から先端位置９３２までの寸法Ｅ３、薬指９４の付け根位置９４１から先端位置９４２までの寸法Ｅ４、小指９５の付け根位置９５１から先端位置９５２までの寸法Ｅ５、手首９０中央位置９０１から中指９３の先端位置９３２までの手長（てなが）寸法Ｅ６、掌９６の生命線の始点位置９６１から小指９５の付け根付近の所定位置９６２までの周長である周囲寸法Ｅ７、上記掌９６の生命線の始点位置９６１から手首９０と小指９５付け根との間の手首側１／３の位置９６３までの周長である手囲（てかこい）寸法Ｅ８を基準寸法値として取得する。
【００４１】
上記の基準寸法値Ｅ１〜Ｅ８の割り出しは、正対手画像８ａに撮し込まれた円形硬貨７の画像７′部分の表示上直径ｄに対する上記各寸法Ｅ１〜Ｅ８部分に対応する正対手画像８ａ上の各表示上寸法ｅ１〜ｅ８の比率に、上記円形硬貨７の既知の直径Ｄ（実際の直径値）を乗じることにより行う。
【００４２】
具体的な処理としては、受注者側の操作者が表示手段５１に表示された正対手画像８ａ上で基準寸法取得点の設定操作Ｗ１（図６参照）を行い、この設定操作を受けて基準寸法取得処理が実行される。すなわち、受注者側の操作者が入力手段５２のマウスによりカーソルを円形硬貨７の画像７′の例えば円周上の２点７１，７２にそれぞれ当ててクリックすることによりポインティング入力すると、こけら両点７１，７２の各位置についてのポインティング入力設定（上記設定操作Ｗ１）を受けて、両点７１，７２間の例えばドット数を測定して表示上直径ｄとして一時記憶するようになっている。次いで、上記と同様に親指９１の付け根位置９１１及び先端位置９１２についてのポインティング入力設定を受けて両位置９１１，９１２間のドット数を測定し、これを表示上寸法ｅ１として一時記憶し、ｅ１をｄで除した比率（ｅ１／ｄ）に上記のＤを乗じてＥ１を得る。これを式で表すと次式のようになる。
【００４３】
Ｅ１＝（ｅ１／ｄ）×Ｄ
以下、同様にＥ２については付け根位置９２１及び先端位置９２２を、Ｅ３については付け根位置９３１及び先端位置９３２を、Ｅ４については付け根位置９４１及び先端位置９４２を、Ｅ５については付け根位置９５１及び先端位置９５２を、Ｅ６については手首９０中央位置９０１及び中指９３の先端位置９３２を、Ｅ７については始点位置９６１及び上記所定位置９６２を、Ｅ８については始点位置９６１及び上記所定位置９６３を、それぞれポインティング入力すれば、各表示上寸法ｅ２〜ｅ８が取得される。そして、Ｅ２〜Ｅ６については上式と同様にｅ２〜ｅ６をそれぞれｄで除した比率にＤを乗じて割り出す。一方、周囲寸法Ｅ７及び手囲寸法Ｅ８については、それぞれ周長であるため、２倍したものに掌９６の厚み分を加えることにより取得する。例えば周囲寸法Ｅ７であれば、次式により演算する。
【００４４】
Ｅ７＝（２×ｅ７／ｄ）×Ｄ＋Ｅ０
上記の「Ｅ０」は掌９６の厚み分の寸法であり、このＥ０の値は手長寸法Ｅ６との関係で予め統計処理に基づき作成されたテーブルが記憶保持され、このテーブルから上記で取得された手長寸法Ｅ６に基づいて読み込まれるようになっている。また、同様に手囲寸法Ｅ８は上式の「ｅ７」を「ｅ８」に置き換えることにより取得される。
【００４５】
なお、手丘９７の部分の厚みが必要な場合には、受注者側の操作者が正対手画像８ａを見て例えば４段階評価で薄い、やや薄い、普通、分厚いというようにいずれかの評価を入力設定することにより、各段階評価に対し予め設定された寸法値が割り出されるようにすればよい。
【００４６】
以上で基準寸法取得処理（ステップＳ４）が終了し、次に、出力処理部５９により手袋製作ラインに対し上記の各基準寸法値Ｅ１〜Ｅ８を出力し（ステップＳ５）、処理を終了する。手袋製作ラインでは上記の各基準寸法値Ｅ１〜Ｅ８に基づいて手袋の製作が開始され、製作された手袋は例えばトラック輸送Ｔ（図１参照）等により発注者Ｐに届けられる。
【００４７】
以上においては、オーダーメード手袋の発注に必要な基準寸法値を発注者Ｐの撮影した手画像８から割り出す技術について主として説明したが、発注者Ｐ側から手画像８の送信に加えて、オーダーする手袋の種類や、使用する素材等のオーダー仕様についての情報を受注者コンピュータ５にメール送信すればよく、このオーダー仕様情報と上記各基準寸法値に基づいて上記の手袋製作が開始されることになる。
【００４８】
＜他の実施形態＞
なお、本発明は上記実施形態に限定されるものではなく、その他種々の実施形態を包含するものである。すなわち、上記実施形態では、受注者コンピュータ５を手袋製作者６内に設置した場合を示したが、これに限らず、上記受注者コンピュータ５を上記手袋製作者の代理店、取次店もしくは販売店等に設置するようにしてもよい。この場合には、上記受注者コンピュータ５により割り出された基準寸法値又はこの基準寸法値に加えて正対手画像を手袋製作者に回線網４を介して送信するか他の伝達手段を介して伝達するようにすればよい。
【００４９】
また、上記実施形態では発注者Ｐはカメラ付き携帯電話装置１を用いて発注する場合について説明したが、これに限らず、発注者Ｐはカメラ付き携帯電話装置１の代わりにいわゆるデジタルカメラ等の撮像装置を用いて手画像を撮影し、撮影した撮像データを通信装置を用いて受注者コンピュータ５に送信するようにしてもよい。この場合の通信装置としては、回線網４を介した通信機能を有する発注者コンピュータ等を用いればよい。
【００５０】
さらに、形状基準物として円形硬貨７を用いた場合を示したが、これに限らず、例えば円形硬貨７の代わりに同様形状の専用の円形メダルを予め配布しておき、この円形メダルを形状基準物として用いて発注者Ｐによる発注を行わせるようにしてもよい。
【図面の簡単な説明】
【００５１】
【図１】本発明のオーダーメード手袋発注方法の実施形態を実施するためのオーダーメード手袋発注システムの模式図である。
【図２】カメラ付き携帯電話装置の構成ブロック図である。
【図３】受注者コンピュータの構成ブロック図である。
【図４】正対手画像の例を示す正面図である。
【図５】正対位置から傾いた状態で撮像された傾斜手画像の例を示す正面図である。
【図６】受注者コンピュータでの処理を示すフローチャートである。
【図７】円形硬貨の画像の歪み具合と傾きとの関係を示す説明図である。
【図８】撮影時の手の傾きと、そのときの手画像との関係を直交３軸座標系で示す説明図である。
【符号の説明】
【００５２】
１          カメラ付き携帯電話装置（撮像装置、通信装置）
４          回線網
５          受注者コンピュータ（受信装置）
７          円形硬貨（形状基準物）
８          手画像
８ａ        正対手画像
８ｂ        傾斜手画像
５３        送受信部
５６        画像変換処理部
５７        基準寸法取得処理部
９６        掌
Ｈ          手
Ｐ          発注者
【図１】
2005023498.tif 000003
【図２】
2005023498.tif 000004
【図３】
2005023498.tif 000005
【図４】
2005023498.tif 000006
【図５】
2005023498.tif 000007
【図６】
2005023498.tif 000008
【図７】
2005023498.tif 000009
【図８】
2005023498.tif 000010